(57)【要約】【課題】  許可された管制員にしか操作を許さず、警備に係る機密情報の漏洩や改ざんを防止し、信頼性の高い警備情報の管理が可能である警備システムの管制装置を提供することにある。【解決手段】  警備端末と通信を行う通信装置と警備情報を表示・管理する監視卓とからなるセンタ装置と、監視卓を操作する管制員が携帯する管制員の認証情報を記録した認証情報記憶手段から、認証情報を読み取る管制員認証情報読取装置と、監視卓から所定距離以内に配置され、着席状態を検知する着席検知手段を有する操作用椅子とを備え、センタ装置が、着席検知手段が操作用椅子の着席を検知している状態で、管制員認証情報読取装置で取得した認証情報から、監視卓の操作を許可された管制員か否かを判断し、許可された管制員と判断した場合に、監視卓の操作を認めることを特徴とする。【選択図】図１
2006331042.tif 000002
【特許請求の範囲】
【請求項１】
警備対象施設の警備情報を送信する警備端末から該警備情報を取得し表示・管理する警備システムの管制装置において、
該警備端末と通信を行う通信装置と該警備情報を表示・管理する監視卓とからなるセンタ装置と、
該監視卓を操作する管制員が携帯する管制員の認証情報を記録した認証情報記憶手段から、該認証情報を読み取る管制員認証情報読取装置と、
該監視卓から所定距離以内に配置され、着席状態を検知する着席検知手段を有する操作用椅子とを備え、
該センタ装置が、該着席検知手段が該操作用椅子の着席を検知している状態で、該管制員認証情報読取装置で取得した該認証情報から、該監視卓の操作を許可された管制員か否かを判断し、許可された管制員と判断した場合に、該監視卓の操作を認めることを特徴とする警備システムの管制装置。
【請求項２】
前記監視卓が設置された管制室の入口に、前記認証情報記憶手段から前記認証情報を読み取る入口用管制員認証情報読取装置を備え、
前記センタ装置が、該入口用管制員認証情報読取装置から該認証情報を取得して、前記管制員の該管制室への入室を管理することを特徴とする請求項１記載の警備システムの管制装置。
【請求項３】
前記操作用椅子に着席者の体重を測定する体重測定手段を備え、
前記センタ装置が、前記管制員認証情報読取装置で認証情報を取得した前記管制員の体重と、該体重測定手段で取得した体重の情報とを用いて、前記監視卓の操作を許可された管制員か否かを判断することを特徴とする請求項１又は請求項２記載の警備システムの管制装置。
【請求項４】
前記管制室の入口に、入室者の体重を測定する入口用体重測定装置を備え、
前記センタ装置が、該入口用体重測定装置で取得した体重の情報と、前記体重測定手段で取得した体重の情報とを比較し、前記監視卓の操作を許可された管制員か否かを判断することを特徴とする請求項３記載の警備システムの管制装置。
【請求項５】
前記センタ装置が、前記管制員の勤務予定を記憶し、その時間に前記監視卓の操作を許可された管制員か否かを判断することを特徴とする請求項１〜請求項４のいずれかに記載の警備システムの管制装置。
【請求項６】
前記センタ装置が、実際に前記管制員が行った操作を記憶することを特徴とする請求項１〜請求項５のいずれかに記載の警備システムの管制装置。
【発明の詳細な説明】
【技術分野】
【０００１】
本発明は、警備対象施設の警備状況を監視、管理する警備システムの管制装置に関する。
【背景技術】
【０００２】
従来より、一般の家庭や店舗、工場等の警備対象施設側に、異常を検知するセンサを設け、異常の情報等を警備端末介して警備センタのセンタ装置に通報する警備システムが用いられている。このセンタ装置は、警備センタ内の管制室に設置されている。実際の警備においては、管制室内に居る管制員（警備会社の従業員等）が、センタ装置に設けられた監視卓により、警備対象施設で異常がないかを監視している。異常があった場合には、管制員は、異常があった旨を警察や警備会社（警備対象施設に実際に人を派遣する会社又は部署）に通報する。
【０００３】
また、従来のセンタ装置を始めとする警備システムの管制装置は、管制室内に出入りする人であれば、自由に操作可能であり、警備対象施設に関する情報や警備情報を自由に閲覧できると共に、センタ装置の設定や警備端末の設定を変更することも可能である。
尚、この先行技術は、文献公知に係るものでないため、記載すべき先行技術文献情報はない。
【発明の開示】
【発明が解決しようとする課題】
【０００４】
しかしながら、従来の警備システムの管制装置では、管制室に出入りする人はだれでもセンタ装置の操作が可能で、不正に警備対象施設に関する情報や警備情報を閲覧できると共に、不正にセンタ装置の設定や警備端末の設定を変更することができる。すなわち、警備に係る機密情報の漏洩や改ざんが可能であった。
【０００５】
本発明は、このような事情に鑑みてなされたもので、許可された管制員にしか操作を許さず、警備に係る機密情報の漏洩や改ざんを防止し、信頼性の高い警備情報の管理が可能である警備システムの管制装置を提供することにある。
【課題を解決するための手段】
【０００６】
請求項１記載の警備システムの管制装置は、警備端末と通信を行う通信装置と警備情報を表示・管理する監視卓とからなるセンタ装置と、監視卓を操作する管制員が携帯する管制員の認証情報を記録した認証情報記憶手段から、認証情報を読み取る管制員認証情報読取装置と、監視卓から所定距離以内に配置され、着席状態を検知する着席検知手段を有する操作用椅子とを備え、センタ装置が、着席検知手段が操作用椅子の着席を検知している状態で、管制員認証情報読取装置で取得した認証情報から、監視卓の操作を許可された管制員か否かを判断し、許可された管制員と判断した場合に、監視卓の操作を認めることを特徴とする。
【０００７】
請求項２記載の警備システムの管制装置は、監視卓が設置された管制室の入口に、認証情報記憶手段から認証情報を読み取る入口用管制員認証情報読取装置を備え、センタ装置が、入口用管制員認証情報読取装置から認証情報を取得して、管制員の管制室への入室を管理することを特徴とする。
【０００８】
請求項３記載の警備システムの管制装置は、操作用椅子に着席者の体重を測定する体重測定手段を備え、センタ装置が、管制員認証情報読取装置で認証情報を取得した管制員の体重と、体重測定手段で取得した体重の情報とを用いて、監視卓の操作を許可された管制員か否かを判断することを特徴とする。
【０００９】
請求項４記載の警備システムの管制装置は、管制室の入口に、入室者の体重を測定する入口用体重測定装置を備え、センタ装置が、入口用体重測定装置で取得した体重の情報と、体重測定手段で取得した体重の情報とを比較し、監視卓の操作を許可された管制員か否かを判断することを特徴とする。
【００１０】
請求項５記載の警備システムの管制装置は、センタ装置が、管制員の勤務予定を記憶し、その時間に監視卓の操作を許可された管制員か否かを判断することを特徴とする。
【００１１】
請求項６記載の警備システムの管制装置は、センタ装置が、実際に管制員が行った操作を記憶することを特徴とする。
【発明の効果】
【００１２】
請求項１の発明によれば、センタ装置が、着席検知手段が操作用椅子の着席を検知している状態で、管制員認証情報読取装置で取得した認証情報から、監視卓の操作を許可された管制員か否かを判断し、許可された管制員と判断した場合に、監視卓の操作を認めることから、許可された管制員にしか操作を許さず、またその管制員であっても操作用椅子に着席した不自然な動作を抑制した状態で操作させることから、警備に係る機密情報の漏洩や改ざんを防止し、信頼性の高い警備情報の管理が可能である。
【００１３】
請求項２の発明によれば、センタ装置が、入口用管制員認証情報読取装置から認証情報を取得して、管制員の管制室への入室を管理することから、管制室自体への入出を抑制してセンタ装置の操作できる人を制限することで、警備に係る機密情報の漏洩や改ざんを防止し、信頼性の高い警備情報の管理が可能である。
【００１４】
請求項３の発明によれば、センタ装置が、管制員認証情報読取装置で認証情報を取得した管制員の体重と、体重測定手段で取得した体重の情報とを用いて、監視卓の操作を許可された管制員か否かを判断することから、操作を許可された管制員か否かの判断を正確に行い、警備に係る機密情報の漏洩や改ざんを防止し、信頼性の高い警備情報の管理が可能である。
【００１５】
請求項４の発明によれば、センタ装置が、入口用体重測定装置で取得した体重の情報と、体重測定手段で取得した体重の情報とを比較し、監視卓の操作を許可された管制員か否かを判断することから、操作を許可された管制員か否かの判断を正確に行い、警備に係る機密情報の漏洩や改ざんを防止し、信頼性の高い警備情報の管理が可能である。
【００１６】
請求項５の発明によれば、センタ装置が、管制員の勤務予定を記憶し、その時間に監視卓の操作を許可された管制員か否かを判断することから、管制員の操作を管理して、警備に係る機密情報の漏洩や改ざんを防止し、信頼性の高い警備情報の管理が可能である。
【００１７】
請求項６の発明によれば、センタ装置が、実際に管制員が行った操作を記憶することから、管制員の不正操作をチャックでき、管制員の不正操作を抑制することで警備に係る機密情報の漏洩や改ざんを防止し、信頼性の高い警備情報の管理が可能である。
【発明を実施するための最良の形態】
【００１８】
以下、本発明の形態について図面を参照しながら具体的に説明する。本発明の形態における警備システムの管制装置は、一般の家庭や店舗、工場等の警備対象施設側に、異常を検知するセンサを設け、異常の情報等を警備端末介して通知された警備情報を、警備センタ側で監視するためのものである。
【実施例１】
【００１９】
図１は、本発明に係る警備システムの管制装置の第１の実施例の構成を示す構成図である。図において、本実施例の警備システムの管制装置は、警備センタの管制室１内に実現されている。具体的には、管制室１内のセンタ装置１０、操作用椅子２０、読取装置１５等から構成されている。
【００２０】
センタ装置１０は、異常の発生を表示し管制室１の管制員７に伝える監視卓１１と、通信回線と監視卓１１とを接続する通信装置１２とから構成されている。監視卓１１は、例えば、コンピュータ端末である。また、通信装置１２は、通信回線に接続可能な装置であり、具体的には有線方式又は無線方式のモデム、ターミナルアダプタ等である。通信回線を介して１つのセンタ装置１０に接続される警備対象施設は複数有る。尚、通信回線を介してセンタ装置１０と接続される警備端末は（図示せず）、警備対象施設の異常を感知するセンサと、センサの情報を通信回線を介してセンタ装置１０に送る手段とからなる。
【００２１】
管制室１で監視の業務にあたる管制員７は、監視卓１１の操作を許された者であるかの認証情報を記録した認証情報記憶手段であるＩＣタグ８を携帯している。ＩＣタグ８の携帯方法としては、例えば、ＩＣタグ８を装着したカードや身分証明書の携帯であったり、ＩＣタグ８を縫いつけた服の着用であったり、携帯の方法に制約はない。
【００２２】
センタ装置１０に接続された読取装置１５は、ＩＣタグ８に記憶された管制員７の認証情報を読み取り、読み取った認証情報をセンタ装置１０に渡す管制員認証情報読取装置である。具体的には、ＩＣタグ８用の非接触の読取手段である。
【００２３】
操作用椅子２０は、監視卓１１を操作する管制員７が着席するための椅子で、管制員７が着席しているか否かの着席状態を検知するための着席検知手段２１を備えている。着席検知手段２１が検知する着席の情報は、センタ装置１０に送られる。尚、操作用椅子２０が配置されている位置は、着席した管制員７が監視卓１１を操作できる位置である。この位置を保つために例えば、操作用椅子２０とセンタ装置１０との間をワイヤーやチェーンで結んでもよい。また、操作用椅子２０が、監視卓１１を操作可能な位置から逸脱した場合に、その旨をセンタ装置１０に伝える手段により、結果として操作用椅子２０の位置が保たれるようにしてもよい。尚、操作用椅子２０の位置に関連し、管制員７の携帯するＩＣタグ８を読み取る読取装置１５を配置する位置は、操作用椅子２０に着席した管制員７の携帯するＩＣタグ８を読み取れる位置となる。読取装置１５が、ＩＣタグ８の読み取りができない場合に、操作用椅子２０が、監視卓１１を操作できる位置にないと判断することにより、結果として操作用椅子２０の位置が保たれるようにしてもよい。
【００２４】
次に、本実施例の警備システムの管制装置の動作について説明する。まず、ＩＣタグ８を携帯した管制員７は、操作用椅子２０に着席する。すると、ＩＣタグ８が読取装置１５の読み取り可能な範囲に入ることから、読取装置１５がＩＣタグ８に記録された認証情報を読み取る。センタ装置１０は、その読み取った認証情報が正しいか否かを判断する。また、着席検知手段２１からの情報で、センタ装置１０は管制員７が操作用椅子２０に着席しているか否かを確認する。そして、管制員７の認証がなされ、管制員７が着席している状態で、監視卓１１での操作が可能になる。具体的な操作とは、警備情報の表示、警報に係る処理、警備に係る情報の登録・設定・閲覧等である。尚、認証と着席確認の順番はどちらが先でも、また同時であってもよい。
【００２５】
このように、本実施例の警備システムの管制装置によれば、センタ装置１０が、着席検知手段２１が操作用椅子２０の着席を検知している状態で、読取装置１５で取得した認証情報から、監視卓１１の操作を許可された管制員７か否かを判断し、許可された管制員７と判断した場合に、監視卓１１の操作を認めることから、許可された管制員７にしか操作を許さず、またその管制員７であっても操作用椅子２０に着席した不自然な動作を抑制した状態で操作させることから、警備に係る機密情報の漏洩や改ざんを防止し、信頼性の高い警備情報の管理が可能である。
【００２６】
尚、操作用椅子２０とセンタ装置１０との間をワイヤーやチェーンで結んだ場合、認証された管制員７が着席していると判断可能であるが、上述した通り、ワイヤーやチェーンによって操作用椅子２０の位置を規制しない場合もある。上述した、操作用椅子２０が、監視卓１１を操作可能な位置から逸脱した場合に、その旨をセンタ装置１０に伝える手段によるときは、操作用椅子２０が監視卓１１を操作可能な位置から逸脱した場合に、監視卓１１による操作できないようにすることも可能である。このことにより、監視卓１１を操作できる条件として、操作用椅子２０が監視卓１１から所定距離以内に配置されているという条件を担保することが可能となる。
【００２７】
また、本実施例では認証情報記憶手段としてＩＣタグ８について説明したが、ＩＣタグ８に限られるものではない。例えば、磁気カードや携帯電話を認証情報記憶手段として用いることも可能である。すなわち、認証情報記憶手段は、監視卓１１の操作を許された者であるかの認証情報を記録した物で、その認証情報の読み取りが電子的に可能なものであればよい。認証情報記憶手段の形態に合わせて、読取装置１５も、非接触式、接触式、光学読み取り式等適宜選択すればよい。
【実施例２】
【００２８】
図２は、本発明に係る警備システムの管制装置の第２の実施例の構成を示す構成図である。図において、本実施例の警備システムの管制装置は、警備センタの管制室２内に実現されている。具体的には、管制室２内のセンタ装置１０、操作用椅子２０、読取装置１５の他、管制室２の出入口３０に設けられた読取装置３１等から構成されている。
【００２９】
管制室２の出入口３０に設けられた読取装置３１は、ＩＣタグ８に記憶された管制員７の認証情報を読み取り、読み取った認証情報をセンタ装置１０に渡す入口用管制員認証情報読取装置である。具体的には、ＩＣタグ８用の非接触の読取手段である。尚、センタ装置１０、読取装置１５、ＩＣタグ８及び操作用椅子２０は、実施例１と同様なので説明を省略する。また、読取装置３１は、読取装置１５と同様である。
【００３０】
次に、本実施例の警備システムの管制装置の動作について説明する。まず、監視卓１１の操作を行う管制員７が、管制室２の出入口３０を入ると、読取装置３１により、携帯するＩＣタグ８の認証情報がセンタ装置１０に読み込まれる。そして、センタ装置１０は、その読み取った認証情報が正しいか否かを判断する。もし、監視卓１１の操作を許可されていない者の入室だと判断された場合には、以後の監視卓１１の操作をできなくしたり、不審者が管制室２に入室したことを報知したりする。そして、監視卓１１の操作を許可された者の入室であった場合には、特に処理を行う必要はないが、入室の記録をセンタ装置１０内に記録しておくことは可能である。
【００３１】
そして、管制室２に入室したＩＣタグ８を携帯した管制員７は、操作用椅子２０に着席する。すると、ＩＣタグ８が読取装置１５の読み取り可能な範囲に入ることから、読取装置１５がＩＣタグ８に記録された認証情報を読み取る。センタ装置１０は、その読み取った認証情報が正しいか否かを判断する。また、着席検知手段２１からの情報で、センタ装置１０は管制員７が操作用椅子２０に着席しているか否かを確認する。そして、管制員７の認証がなされ、管制員７が着席している状態で、監視卓１１での操作が可能になる。具体的な操作とは、警備情報の表示、警報に係る処理、警備に係る情報の登録・設定・閲覧等である。尚、認証と着席確認の順番はどちらが先でも、また同時であってもよい。
【００３２】
このように、本実施例の警備システムの管制装置によれば、センタ装置１０が、読取装置３１から認証情報を取得して、管制員７の管制室２への入室を管理することから、管制室２自体への入出を抑制してセンタ装置１０の操作できる人を制限することで、警備に係る機密情報の漏洩や改ざんを防止し、信頼性の高い警備情報の管理が可能である。
【００３３】
尚、監視卓１１の操作を終えた管制員７が管制室２から出る場合に、読取装置３１は管制員７のＩＣタグ８の認証情報を読み込み、それを受け取ったセンタ装置１０で、管制員７の退出を管理するようにしてもよい。そのことで、例えば、一人の管制員が、あまりにも長時間管制室２から退出しないと判断される時には、管制員に異常があったとして、監視卓１１の操作が行えなくするようにしてもよい。
【実施例３】
【００３４】
図３は、本発明に係る警備システムの管制装置の第３の実施例の構成を示す構成図である。図において、本実施例の警備システムの管制装置は、警備センタの管制室３内に実現されている。具体的には、管制室３内のセンタ装置１０、操作用椅子２０、読取装置１５の他、管制室３の出入口３０に設けられた読取装置３１等から構成されている。
【００３５】
操作用椅子２０は、監視卓１１を操作する管制員７が着席するための椅子で、着席した管制員７の体重を測定するための体重測定手段２２を備えている。この体重測定手段２２で測定された着席者の体重は、センタ装置１０に送られる。尚、体重測定手段２２により測定された値により、管制員７が着席しているか否かの判断も可能であることから、体重測定手段２２は、着席検知手段としての機能も果たすこととなる。尚、操作用椅子２０そのもの、センタ装置１０、読取装置１５、３１及びＩＣタグ８は、実施例１又は実施例２と同様なので説明を省略する。
【００３６】
次に、本実施例の警備システムの管制装置の動作について説明する。まず、監視卓１１の操作を行う管制員７が、管制室３の出入口３０を入ると、読取装置３１により、携帯するＩＣタグ８の認証情報がセンタ装置１０に読み込まれる。そして、センタ装置１０は、その読み取った認証情報が正しいか否かを判断する。もし、監視卓１１の操作を許可されていない者の入室だと判断された場合には、以後の監視卓１１の操作をできなくしたり、不審者が管制室３に入室したことを報知したりする。そして、監視卓１１の操作を許可された者の入室であった場合には、特に処理を行う必要はないが、入室の記録をセンタ装置１０内に記録しておくことは可能である。
【００３７】
そして、管制室３に入室したＩＣタグ８を携帯した管制員７は、操作用椅子２０に着席する。すると、ＩＣタグ８が読取装置１５の読み取り可能な範囲に入ることから、読取装置１５がＩＣタグ８に記録された認証情報を読み取る。センタ装置１０は、その読み取った認証情報が正しいか否かを判断する。また、体重測定手段２２からの情報で、センタ装置１０は管制員７が操作用椅子２０に着席しているか否かを確認する。また、体重測定手段２２で測定された管制員７の体重が、あらかじめセンタ装置１０に登録された管制員７の体重の情報と合致するかを確認する。そして、測定した体重の差が所定以内であった場合には、着席している者が、認証された管制員７だと判断される。そして、管制員７の認証がなされ、管制員７が着席している状態で、監視卓１１での操作が可能になる。具体的な操作とは、警備情報の表示、警報に係る処理、警備に係る情報の登録・設定・閲覧等である。尚、認証と着席確認（体重確認）の順番はどちらが先でも、また同時であってもよい。
【００３８】
このように、本実施例の警備システムの管制装置によれば、センタ装置１０が、読取装置１５で認証情報を取得した管制員７の体重と、体重測定手段２２で取得した体重の情報とを用いて、監視卓１１の操作を許可された管制員７か否かを判断することから、操作を許可された管制員７か否かの判断を正確に行い、警備に係る機密情報の漏洩や改ざんを防止し、信頼性の高い警備情報の管理が可能である。
【００３９】
尚、実施例１の警備システムの管制装置の操作用椅子２０の着席検知手段２１に代えて、体重測定手段２２を設け、本実施例の管制室３のように管制員７の体重により、管制員７の認証を行うようにしてもよい。また、実施例１のように、体重測定手段２２を着席検知手段としてのみ使用してもよい。
【実施例４】
【００４０】
図４は、本発明に係る警備システムの管制装置の第４の実施例の構成を示す構成図である。図において、本実施例の警備システムの管制装置は、警備センタの管制室４内に実現されている。具体的には、管制室４内のセンタ装置１０、操作用椅子２０、読取装置１５の他、管制室４の出入口３０に設けられた読取装置３１、管制室４の出入口３０に設けられた体重測定装置３２等から構成されている。
【００４１】
管制室４の出入口３０に設けられた体重測定装置３２は、出入口３０から入室した管制員７の体重を測定するものである。この体重測定装置３２で測定された体重は、センタ装置１０に送られる。尚、センタ装置１０、読取装置１５、３１、ＩＣタグ８及び操作用椅子２０は、実施例１、実施例２及び実施例３と同様なので説明を省略する。
【００４２】
次に、本実施例の警備システムの管制装置の動作について説明する。まず、監視卓１１の操作を行う管制員７が、管制室４の出入口３０を入ると、読取装置３１により、携帯するＩＣタグ８の認証情報がセンタ装置１０に読み込まれる。そして、センタ装置１０は、その読み取った認証情報が正しいか否かを判断する。もし、監視卓１１の操作を許可されていない者の入室だと判断された場合には、以後の監視卓１１の操作をできなくしたり、不審者が管制室４に入室したことを報知したりする。そして、監視卓１１の操作を許可された者の入室であった場合には、特に処理を行う必要はないが、入室の記録をセンタ装置１０内に記録しておくことは可能である。
【００４３】
また、体重測定装置３２が、出入口３０を入った管制員７の体重を測定する。そして、体重測定装置３２は、測定した体重をセンタ装置１０に送る。センタ装置１０は、送られた体重を記憶しておく。
【００４４】
そして、管制室４に入室したＩＣタグ８を携帯した管制員７は、操作用椅子２０に着席する。すると、ＩＣタグ８が読取装置１５の読み取り可能な範囲に入ることから、読取装置１５がＩＣタグ８に記録された認証情報を読み取る。センタ装置１０は、その読み取った認証情報が正しいか否かを判断する。また、体重測定手段２２からの情報で、センタ装置１０は管制員７が操作用椅子２０に着席しているか否かを確認する。また、体重測定手段２２で測定された管制員７の体重が、体重測定装置３２で測定した体重の情報と合致するかを確認する。そして、測定した体重の差が所定以内であった場合には、着席している者が、管制室４に認証されたＩＣタグ８を携帯して入室した管制員７だと判断される。そして、管制員７の認証がなされ、管制員７が着席している状態で、監視卓１１での操作が可能になる。具体的な操作とは、警備情報の表示、警報に係る処理、警備に係る情報の登録・設定・閲覧等である。尚、認証と着席確認（体重確認）の順番はどちらが先でも、また同時であってもよい。
【００４５】
このように、本実施例の警備システムの管制装置によれば、センタ装置１０が、体重測定装置３２で取得した体重の情報と、体重測定手段２２で取得した体重の情報とを比較し、監視卓１１の操作を許可された管制員７か否かを判断することから、操作を許可された管制員７か否かの判断を正確に行い、警備に係る機密情報の漏洩や改ざんを防止し、信頼性の高い警備情報の管理が可能である。
【００４６】
尚、出入口３０の体重測定装置３２で測定した体重が、読込装置３１で読み込まれた管制員７の体重としてあらかじめ記録されている情報と合致するか否かを判断することも可能である。あらかじめ記憶された体重と異なり、監視卓１１の操作を許可されていない者の入室だと判断された場合には、以後の監視卓１１の操作をできなくしたり、不審者が管制室４に入室したことを報知したりすることも可能である。そして、監視卓１１の操作を許可された者の入室であった場合には、特に処理を行う必要はないが、入室の記録をセンタ装置１０内に記録しておくことは可能である。
【００４７】
また、操作用椅子２０の体重測定手段２２で体重を測定する代わりに、体重測定装置３２で測定した情報を使うことも可能である。この場合、体重測定手段２２は実施例１の着席検知手段２１として機能させることになる。すなわち、実施例１の構成に、体重測定装置３２を設けたような構成である。
【実施例５】
【００４８】
図５は、本発明に係る警備システムの管制装置の第５の実施例の構成を示す構成図である。図において、本実施例の警備システムの管制装置は、警備センタの管制室５内に実現されている。具体的には、管制室５内のセンタ装置１０、操作用椅子２０、読取装置１５の他、管制室５の出入口３０に設けられた読取装置３１、管制室５の出入口３０に設けられた体重測定装置３２等から構成されている。
【００４９】
また、センタ装置１０の監視卓１１には、管制員７の勤務予定をあらかじめ予定データとして記憶したメモリ１３と、管制員７の監視卓１１の操作を操作データとして記憶するためのメモリ１４とを備えている。
【００５０】
次に、本実施例の警備システムの管制装置の動作について説明する。まず、監視卓１１の操作を行う管制員７が、管制室５の出入口３０を入ると、読取装置３１により、携帯するＩＣタグ８の認証情報がセンタ装置１０に読み込まれる。そして、センタ装置１０は、その読み取った認証情報が正しいか否かを判断する。もし、監視卓１１の操作を許可されていない者の入室だと判断された場合には、以後の監視卓１１の操作をできなくしたり、不審者が管制室５に入室したことを報知したりする。また、管制官７の勤務予定をメモリ１３の予定データで確認し、勤務の予定が入っていないにもかかわらず管制室５に入室して来たと判断された場合には、以後の監視卓１１の操作をできなくしたり、不審者が管制室５に入室したとして報知したりする。以降の操作は、実施例４と同様である。
【００５１】
このように、本実施例の警備システムの管制装置によれば、センタ装置１０が、管制員７の勤務予定を記憶し、その時間に監視卓１１の操作を許可された管制員７か否かを判断することから、管制員７の操作を管理して、警備に係る機密情報の漏洩や改ざんを防止し、信頼性の高い警備情報の管理が可能である。
【００５２】
また、管制員７が監視卓１１で行った操作内容は、操作データとしてメモリ１４に記憶するようにする。このように、操作内容を記憶することで、管制員７の不正操作をチャックでき、管制員７の不正操作を抑制することで警備に係る機密情報の漏洩や改ざんを防止し、信頼性の高い警備情報の管理が可能である。
【００５３】
尚、本実施例では、予定データを記憶するためのメモリ１３と、操作データを記憶するためのメモリ１４の両方を備えているが、いずれか一方だけでも構わない。また、他の実施例の形態の監視卓１１に、それぞれまたは両方のメモリ１３，１４を設けてもよい。
【産業上の利用可能性】
【００５４】
以上のように、本発明は、許可された管制員にしか操作を許さず、警備に係る機密情報の漏洩や改ざんを防止し、信頼性の高い警備情報の管理が必要である警備システムの管制装置に適用できる。
【図面の簡単な説明】
【００５５】
【図１】本発明に係る警備システムの管制装置の第１の実施例の構成を示す構成図である。
【図２】本発明に係る警備システムの管制装置の第２の実施例の構成を示す構成図である。
【図３】本発明に係る警備システムの管制装置の第３の実施例の構成を示す構成図である。
【図４】本発明に係る警備システムの管制装置の第４の実施例の構成を示す構成図である。
【図５】本発明に係る警備システムの管制装置の第５の実施例の構成を示す構成図である。
【符号の説明】
【００５６】
１〜５・・・管制室
７・・・・・管制員
８・・・・・ＩＣタグ
１０・・・・センタ装置
１１・・・・監視卓
１２・・・・通信装置
１３・・・・メモリ
１４・・・・メモリ
１５・・・・読取装置
２０・・・・操作用椅子
２１・・・・着席検知手段
２２・・・・体重測定手段
３０・・・・出入口
３１・・・・読取装置
３２・・・・体重測定装置
【図１】
2006331042.tif 000003
【図２】
2006331042.tif 000004
【図３】
2006331042.tif 000005
【図４】
2006331042.tif 000006
【図５】
2006331042.tif 000007